(57)【要約】  本発明によるホールド対象物の外面にホールドされることができるホールド用植物栽培装置は、ホールド対象物の外面に沿って長さを調節できるように形成されるハウジング、及び前記ハウジングの一側に配置される植物が植栽される植栽部で構成される。
2021514668.tif 000002
【特許請求の範囲】
【請求項１】
ホールド対象物の外面の少なくとも一部にホールドされることができるホールド用植物栽培装置であって、
前記ホールド対象物の外面に沿って長さを調節できるように形成されるハウジング；及び
前記ハウジングの一側に配置される植物が植栽される植栽部；
を含むホールド用植物栽培装置。
【請求項２】
前記ハウジングは透明な材質からなることを特徴とする請求項１に記載のホールド用植物栽培装置。
【請求項３】
前記ハウジングの側面及び上面の少なくともいずれか一つに形成されて空気が通る一つ以上の気孔；及び
植物の生長を確認することができる定規；
を含むことを特徴とする請求項１に記載のホールド用植物栽培装置。
【請求項４】
前記ハウジングの一側には水投入口を形成し、
前記水投入口には結着される水供給装置を含むことを特徴とする請求項３に記載のホールド用植物栽培装置。
【請求項５】
植栽された植物の生長のために前記ハウジングの上端に付着されるＬＥＤ照明を含むことを特徴とする請求項１に記載のホールド用植物栽培装置。
【請求項６】
前記ハウジングの形状は長手方向にブロック模型が重なった形状からなることを特徴とする請求項１に記載のホールド用植物栽培装置。
【請求項７】
棒形からなって、全体の中で少なくとも一部がスライディング可能な締結部からなる第１部材；
前記第１部材の締結部が挿入されて締結され、端に前記締結部を有する第２部材；
前記第２部材の締結部が挿入されて締結され、側面に形成される水を注入することができる水投入口を含む
2021514668.tif 000006
字形状からなる第３部材；
上端が前記第３部材の端に挿入されるスライディング可能な締結部を含んで前記第３部材の一側に配置される植物が植栽される植栽部；及び
前記第１ないし第３部材をホールド対象物の角にホルダーさせる固定手段；
を含むことを特徴とするホールド用植物栽培装置。
【請求項８】
前記第１部材ないし第３部材は透明な材質からなることを特徴とする請求項７に記載のホールド用植物栽培装置。
【請求項９】
前記第１部材ないし第３部材は、側面及び上面の少なくともいずれか一つに形成され、空気が通る一つ以上の気孔；及び
植物の生長を確認できる定規；
を含むことを特徴とする請求項７に記載のホールド用植物栽培装置。
【請求項１０】
前記水投入口に結着される水供給装置を含むことを特徴とする請求項７に記載のホールド用植物栽培装置。
【請求項１１】
植栽された植物の生長のために前記第１部材ないし第３部材の上端に付着されるＬＥＤ照明を含むことを特徴とする請求項７に記載のホールド用植物栽培装置。
【請求項１２】
前記気孔から水が外部へ溢れないようにするために、前記気孔の少なくとも一部を防ぐことができる棒形の水遮断膜を含むことを特徴とする、請求項４または請求項９に記載のホールド用植物栽培装置。
【請求項１３】
ホールド対象物の外面にホールドされることができるホールド用植物栽培装置であって、
前記ホールド対象物の外面に沿って形成されるハウジング；及び
前記ハウジングの両側に配置される植物が植栽される植栽部；
を含むホールド用植物栽培装置。
【発明の詳細な説明】
【技術分野】
【０００１】
本発明は、ホールド対象物の外面にホールドされ、内部に植物が生長し、外部から植物を観察することができるホールド用植物栽培装置に関する。
【背景技術】
【０００２】
家庭や事務室内で室内空気を浄化したり、室内を飾るために観賞用として植木鉢で植物を栽培する。一般的な植木鉢はかなり空間を占めるので、植物の状態を随時確認するのに煩わしさがある。
【０００３】
特に、コンピューターを使う事務室の机に植木鉢を置く場合、情緒的安定に役立つことができるが、植木鉢が占める空間のため、他の事務用品を使う過程で植木鉢がよく倒れる不便さがある。
【０００４】
従来の技術である韓国公開実用新案第２０‐２０１３‐０００３２７６号(モニター掛け用植木鉢)、韓国公開特許第１０‐２０１６‐００３８８２３号(モニターホールド用多目的保管箱)の場合、コンピューターモニターの上端に結着できるホルダー装置について開示している。
【０００５】
しかし、従来技術は一般の植木鉢をモニター外面の一部にホールドするものなので、植物が生長して長くなると植物を管理しにくい問題点がある。
【０００６】
また、生活空間や事務空間で植木鉢が取り付けられると、植木鉢が占める空間のため日常生活や業務に邪魔になる問題点がある。
【０００７】
また、従来技術はモニターのような四角形の外面を有するホールド対象物のみにホールドすることができて、その利用に制限的な問題点がある。
【発明の概要】
【発明が解決しようとする課題】
【０００８】
本発明は、上述した従来技術の問題点を解決するために案出された発明であって、ホールド対象物の外面に取り付けられるハウジングに沿って植物が生長するホールド用植物栽培装置を提供するためである。
【０００９】
また、ハウジングがホールド対象物の外面に沿って取り付けられ、長さを調節することが可能であるため、植物が生長しても管理しやすいホールド用植物栽培装置を提供するためである。
【００１０】
また、既存に植木鉢が存在していた空間ではなく、ホールド対象物の外面に取り付けられるので、生活空間や事務空間で占める空間が小さくて邪魔にならないホールド用植物栽培装置を提供するためである。
【００１１】
また、ホールド対象物の外面の形状に合うハウジングを製作すれば、四角形のホールド対象物の他に様々な形状のホールド対象物にも取り付けられるホールド用植物栽培装置を提供するためである。
【００１２】
本発明の課題は、以上で言及した課題に制限されず、言及されていない別の課題は、以下の記載から当業者に明確に理解されることができる。
【課題を解決するための手段】
【００１３】
前記目的を達成するための本発明のホールド用植物栽培装置は、ホールド対象物の外面の少なくとも一部にホールドされるホールド用植物栽培装置であって、ホールド対象物の外面に沿って長さを調節できるように形成されるハウジング、及び前記ハウジングの一側に配置される植物が植栽される植栽部を含むことができる。
【００１４】
そして、前記ハウジングは透明な材質からなることができる。
【００１５】
また、前記ハウジングの側面及び上面の少なくともいずれか一つに形成され、空気が通る一つ以上の気孔、及び植物の生長を確認できる定規を含むことができる。
【００１６】
また、前記水投入口に結着される水供給装置を含むことができる。
【００１７】
また、植栽された植物の生長のために前記ハウジングの上端に付着されるＬＥＤ照明を含むことができる。
【００１８】
また、前記ハウジングの形状は長手方向にブロック模型が重なった形状からなってもよい。
【００１９】
また、本発明のホールド用植物栽培装置は棒形からなって、全ての装置の少なくとも一部がスライディング可能な締結部からなる第１部材、前記第１部材の締結部が挿入されて締結され、端に前記締結部を有する第２部材、前記第２部材の締結部が挿入されて締結され、側面に形成される水を注入することができる水投入口を含む
2021514668.tif 000003
字形状からなる第３部材、上端が前記第３部材の端に挿入されるスライディング可能な締結部を含んで前記第３部材の一側に配置される植物が植栽される植栽部、前記第１部材ないし第３部材をホールド対象物の角にホルダーさせる固定手段を含むことができる。
【００２０】
そして、前記第１部材ないし第３部材は透明な材質からなってもよい。
【００２１】
また、前記第１部材ないし第３部材は、側面及び上面の少なくともいずれか一つに形成され、空気が通る一つ以上の気孔及び植物の生長を確認することができる定規を含むことができる。
【００２２】
また、前記水投入口に結着される水供給装置を含むことができる。
【００２３】
また、植栽された植物の生長のために前記第１部材ないし第３部材の上端に付着されるＬＥＤ照明を含むことができる。
【００２４】
また、前記気孔から水が外部へ溢れないようにするために、前記気孔の少なくとも一部を防ぐことができる棒状の水遮断膜を含むことができる。
【００２５】
そして、本発明の別の実施例であるホールド対象物の外面にホールドされてもよいホールド用植物栽培装置において、前記ホールド対象物の外面に沿って形成されるハウジング、及び前記ハウジングの両側に配置される植物が植栽される植栽部を含むことができる。
【発明の効果】
【００２６】
前記課題を解決するための本発明のホールド用植物栽培装置は、次のような効果がある。
【００２７】
第一、既存植木鉢が存在していた空間ではなく、ホールド対象物の外面にハウジングが取り付けられ、植物がハウジングに沿って生長するので、ハウジングが占める体積を最小限に減らすことができる。したがって、本発明の植物栽培装置が占める空間によって日常生活や業務に邪魔にならず、植物が充分に生長できる長所がある。
【００２８】
第二、人がよく使うモニター、家具、パーティション、ホワイトボードなどに取り付けることができるので管理が容易である。すなわち、人の視野によく入る位置に配置して植物の状態を把握しやすく、水の供給が便利な長所がある。
【００２９】
第三、人の生活環境空間で植物が生長することによって美観上効果を有することができ、植物の種類によって空気浄化の効果で安らぎをもたらすことができる植物栽培装置を提供するためである。
【００３０】
本発明の効果は以上で言及した効果に制限されず、言及されていない別の効果は請求範囲の記載から当業者に明確に理解される。
【図面の簡単な説明】
【００３１】
【図１】本発明の一実施例によるホールド用植物栽培装置がモニターに取り付けられた姿を示す例示図である。
【図２】本発明の一実施例によるホールド用植物栽培装置の姿を示す例示図である。
【図３】本発明の一実施例によるホールド用植物栽培装置の分解図を示す例示図である。
【図４】本発明の一実施例によるホールド用植物栽培装置の水供給装置が取り付けられた姿を示す例示図である。
【図５】本発明の一実施例によるホールド用植物栽培装置のＬＥＤ照明が取り付けられた姿を示す例示図である。
【図６】本発明の一実施例によるホールド用植物栽培装置の水遮断膜が取り付けられた姿を示す例示図である。
【図７】本発明の他の実施例によるホールド用植物栽培装置がモニターに取り付けられた姿を示す例示図である。
【発明を実施するための最良の形態】
【００３２】
本発明の一実施例による、ホールド対象物の外面の少なくとも一部にホールドされるホールド用植物栽培装置であって、前記ホールド対象物の外面に沿って長さを調節できるように形成されるハウジング、及び前記ハウジングの一側に配置される植物が植栽される植栽部を含む。
【発明を実施するための形態】
【００３３】
以下、本発明の一部の実施例を例示的な図面を通じて詳しく説明する。各図面の構成要素に参照符号を付するに当たって、同一な構成要素に対しては、たとえ他の図面上に表示されてもできるだけ同一な符号を有することに留意しなければならない。また、本発明の実施例を説明するにあたり、係る公知構成または機能に対する具体的な説明が本発明の実施例に対する理解を邪魔すると判断される場合は、その詳細な説明は省略する。
【００３４】
また、「第１、第２」などのような表現は、複数の構成を区分するための用途のみに使われた表現であって、構成の間の手順やその他特徴を限定しない。
【００３５】
本発明のホールド用植物栽培装置１０はホールド対象物２０の外面に沿って長さを調節できるように形成されるハウジング、ハウジングの一側に配置される植物が植栽される植栽部４００で構成されることができる。
【００３６】
前記ハウジングは様々な形状で製作されることができ、ハウジングの形状はホールド対象物２０の外面の形状に合うように製作されることができる。ホールド対象物２０の形状が必ず四角いモニターのような多角形に限定されることではない。曲面を有する場合も外面に結着できるようにホールド対象物２０の外面の形状に合うハウジングを製作し、一側に植物が植栽される植栽部４００が結合されるように製作することができる。
【００３７】
前記ハウジングはホールド対象物２０の外面に沿って長さが調節できるように製作されることができる。したがって、ハウジングの長さを調節してホールド対象物２０の長さに合わせて設置することができ、植物が生長してハウジングをさらに長く確張する必要がある場合は、ハウジングの長さを調節することができる。
【００３８】
前記ハウジングの少なくとも一側には植物が植栽される植栽部４００が配置される。必要な場合、植栽部４００には土を埋めることができる。植物を植栽部４００に植栽すれば、植物が植栽部４００からハウジングに沿ってずっと生長することができる。
【００３９】
植物の種類はハウジングの内部に沿って生長しやすい観賞用つる性植物が適しているが、必ずこれに限定されるものではない。つる性植物の場合、植物の生長に役立つよう、中心棒をハウジング内部に取り付けることができる。中心棒を取り付けると、つる性植物が中心棒に沿って生長することができる。
【００４０】
前記ハウジングは透明な材質からなってもよい。透明な材質のハウジングは内部が映るので、人が植物を外部から観察することができる。よって、観賞用植木鉢として相応しいし、家庭、事務室などの空間で植物を見る人々に情緒的安定感を与えることができる。
【００４１】
また、前記ハウジングの側面及び上面の少なくともいずれか一つには空気が通る少なくても一つ以上の気孔８００、及び植物の生長を確認できる定規８１０が形成されてもよい。
【００４２】
気孔８００を通して空気が流入及び流出され、円滑に空気が循環できる。
【００４３】
前記気孔８００を通して植物の生長に必要な空気がハウジング内部に流入されることができ、植物が排出する酸素が外部へ流出されることがある。特に、空気浄化植物を植栽した場合、外部空気を持続的に浄化して生活環境改善に効果がある。
【００４４】
前記定規８１０は一定間隔に形成され、人が植物が生長した度合いを目で確認することができる。
【００４５】
また、前記定規８１０は、気孔８００の周りに配置され、小山に日が昇って沈む構造で配置されることができる。つまり、気孔８００は半円状に製作して定規８１０を気孔８００より小さい円形で製作し、各定規８１０が気孔８００上に沿って通る構造で配置することができる。よって、見る人が定規８１０を見ながら植物が生長することだけでなく、定規８１０を見て美観上審美感を感じられる機能をする。
【００４６】
前記ハウジングの水投入口３１０に水供給装置７００を結合することができる。
【００４７】
前記水供給装置７００へ水を供給すると、時間を置いて水が一定量ずつ供給されるので、管理しやすい長所がある。
【００４８】
また、前記ハウジングの上端にＬＥＤ照明６００を付着することができる。植物の種類によって生長に必要な光を提供する光の波長を出力するＬＥＤ照明６００を取り付けて植物の生長を促進することができる。ＬＥＤ照明６００に光度を調節できる装置を結合して植物の生長度合いによって適当な照明光度を選択することができる。
【００４９】
また、前記ハウジングの形状は長手方向にブロックが重なった形状で製作することができる。前記ハウジングがホールド対象物２０と当接する面はホールド対象物の外面と一致するように製作し、上端部はブロックが重なった形状など美観をよくする形状を製作して飾り用に使用されることができる。
【００５０】
図１は本発明の一実施例によるホールド用植物栽培装置１０がモニターに取り付けられた姿を示す例示図で、図２は本発明の一実施例によるホールド用植物栽培装置１０の姿を示す例示図で、図３は本発明の一実施例によるホールド用植物栽培装置１０の分解図を示す例示図である。
【００５１】
図１ないし図３を参照すれば、本発明の一実施例によるホールド用植物栽培装置１０は、モニターのように四角形の外面を有するホールド対象物２０に取り付けられる場合によるホールド用植物栽培装置１０である。
【００５２】
図３に図示されたように、前記ハウジングは四角形外面の一部に付着されるために、第１部材１００、第２部材２００、第３部材３００の３つの部材と植栽部４００で構成されることができる。
【００５３】
前記第１部材１００は棒状からなってもよく、全体の中で一部がスライディング可能な締結部からなってもよい。
【００５４】
前記第１部材１００の締結部は、第２部材２００に結合できるように残り部分の幅より小さい幅を有する。ホールド対象物２０の長さによって締結部を長手方向にスライディングして長さを調節することができる。よって、ホールド対象物２０の長さによって締結部の長さを設定して製作することができる。
【００５５】
また、前記ハウジングの内部で生長する植物の生長度合いによって第１部材１００の締結部の第２部材２００に挿入される長さを調節することができる。すなわち、植物がずっと生長して第１部材１００の端に至れば、植物を切り捨てなくても締結部を調節して植物が生長できる空間を確保することができる。
【００５６】
前記第２部材２００は棒状からなってもよく、全体の中で一部がスライディング可能な締結部からなってもよい。第２部材２００の締結部は、第１部材１００の締結部と同様、第３部材３００に結合されるように残り部分の幅より小さい幅を有する。
【００５７】
前記第２部材２００の一側に第１部材１００の締結部が挿入されて結合される。他側はスライディング可能な締結部からなってもよく、前記締結部は第３部材３００に挿入されて締結されることで、第１部材１００と第３部材３００を連結する役目をする。
【００５８】
前記第３部材３００は
2021514668.tif 000004
字形状からなってもよい。モニターのような四角形の形状を有するホールド対象物２０において、一側と他側が横または縦部分に付着されるために
2021514668.tif 000005
字形状で形成される。
【００５９】
前記第３部材３００の一側は第２部材２００の締結部が挿入され、他側には植物が植栽される植栽部４００が挿入される。
【００６０】
前記第３部材３００の側面には水を注入できる水投入口３１０が形成される。水投入口３１０を通して水を注入すれば、植栽部４００に水が流入されて植物が生長することができる。
【００６１】
前記植栽部４００には植物が植栽される。必要な場合、植栽部４００の底に土を含むことができる。植栽部４００の一部は第３部材３００に締結されてもよい締結部を有し、前記締結部は第３部材３００の幅より小さい幅を有する。
【００６２】
前記植栽部４００の締結部は第３部材３００にスライディングして結合される。植栽部４００に植栽された植物が生長しながら第３部材３００へと伸びるようになり、引き続き生長すれば第２部材２００、第１部材１００まで生長することができる。つる性植物の場合、中心棒に沿って生長する。
【００６３】
固定手段は第１部材１００、第２部材２００、第３部材３００をホールド対象物２０の外面にホルダーさせることができる。固定手段は透明な両面テープなど、対象物をホールドさせる機能をする公知のいずれも可能である。
【００６４】
前記第１部材１００、第２部材２００、第３部材３００は透明な材質からなってもよい。よって、人が外部から内部の植物が生長することを観察できるようになって、情緒的に安定感を感じることができる。
【００６５】
また、第１部材１００、第２部材２００、第３部材３００の側面及び上面の少なくともいずれか一つには空気が通る少なくても一つ以上の気孔８００、及び植物の生長を確認できる定規８１０が形成されることができる。気孔８００を通して空気が流入及び流出されて空気が円滑に循環することができる。
【００６６】
前記気孔８００を通して植物が生長するのに必要な空気が植物が生長する内部に流入されることができ、植物が排出する酸素が外部へ流出される。特に、空気浄化植物の場合、外部空気を持続的に浄化して生活環境の改善に効果がある。また、気孔８００を通して水を供給することができる。
【００６７】
前記気孔８００と定規８１０は、上述した場合と同様、半円形と円形からなって、小山に日が昇って沈む構造で配置されることができる。
【００６８】
本発明のホールド用植物栽培装置１０は、ホールド対象物２０に付着されるので、付着しやすい固定手段を備えることができる。固定手段は両面テープのような接着力のあるものであれば、いずれも可能である。
【００６９】
図４は、本発明の実施例によるホールド用植物栽培装置１０に水供給装置７００が付着された姿を示す例示図である。
【００７０】
図４に図示されたように、第３部材３００の水投入口３１０に水供給装置７００を結合することができる。水供給装置７００に水を供給すれば、時間を置いて水が一定量ずつ供給されて管理しやすい長所がある。
【００７１】
図５は、本発明の一実施例によるホールド用植物栽培装置１０のＬＥＤ照明６００が付着された姿を示す例示図である。
【００７２】
図５に図示されたように、第１ないし第３部材３００の上端にＬＥＤ照明６００を付着することができる。植物の種類によって生長に必要な光を提供する光の波長を出力するＬＥＤ照明６００を取り付けて植物の生長を促進することができる。植物の生長度合いによって光度を調節することができる装置をＬＥＤ照明６００に結合することができる。
【００７３】
図６は、本発明の一実施例によるホールド用植物栽培装置１０の水遮断膜５００が付着された姿を示す例示図である。
【００７４】
図６に図示されたように、気孔８００に水遮断膜５００を装着すれば、気孔８００を通して水が溢れることを防ぐことができる。水投入口３１０を通して水を注入することができるが、必要に応じて気孔８００を通して水を注入できる場合があり得る。気孔８００を通して水を注入した場合、水が気孔８００から溢れ出ることがあるので、水遮断膜５００を結合すれば水が溢れることを防ぐことができる効果がある。
【００７５】
図７は、本発明の別の実施例によるホールド用植物栽培装置１０がモニターに取り付けられた姿を示す例示図である。
【００７６】
図７に図示されたように、ホールド対象物２０の外面全体に本発明のホールド用植物栽培装置１０を設置することができる。この場合、植栽部４００をハウジングの一端のみに取り付けることもでき、他端にさらに植栽部４００を取り付けて複数の植物を栽培することができる。
【００７７】
そして、ハウジング及び第１ないし第３部材の断面は四角形など角をなした形状や楕円形の曲線形状からなってもよい。したがって、必要に応じて適した形状を選択し、周りの環境に似合うホールド用植物栽培装置１０を製作することができる。
【００７８】
また、ハウジングをホールド対象物２０にホルダーした場合、ハウジングが後に押されることを防ぐため、ホールド対象物２０にかけることができるフックをハウジングに付着することができる。すなわち、フックがホールド対象物２０にかかってハウジングが後に押されることを防ぐことができる。フックは本発明の実施例の場合、第１部材１００、第２部材２００、第３部材３００に含まれることもできる。
【００７９】
以上のように、本発明による好ましい実施例を見て、前述した実施例の他にも本発明がその趣旨や範疇から脱することなく、他の特定形態で具体化される事実は該当技術に通常の知識を有する者に自明である。よって、上述された実施例は制限的なものではなく例示的なものとして認めるべきであり、これによって本発明は上述した説明に限定されず、添付の請求項の範疇及びそれ同等の範囲内で変更されることもできる。
【図１】
2021514668.tif 000007
【図２】
2021514668.tif 000008
【図３】
2021514668.tif 000009
【図４】
2021514668.tif 000010
【図５】
2021514668.tif 000011
【図６】
2021514668.tif 000012
【図７】
2021514668.tif 000013
【国際調査報告】
2021514668.tif 000014
2021514668.tif 000015
2021514668.tif 000016
2021514668.tif 000017